(57)【要約】【課題】ガスマイコンメータの継続使用時間オーバー遮断機能の回避に対して、省エネ性を向上した回避運転をすることが可能である発電システムを提供する。【解決手段】燃料ガスを用いて発電を行う発電ユニット１と、発電排熱を湯として貯える貯湯ユニット２と、ガスマイコンメータ８の遮断機能を回避する運転を行うか否かを設定する遮断回避運転設定器３と、制御器４と、貯湯ユニット２に外部熱負荷に供給する熱が不足した場合に燃料ガスを用いて燃焼することにより湯を作るバックアップ熱源機６を備え、遮断回避運転設定指令に基づいて、発電ユニット１で使用する燃料ガスの流量を変動させて、ガスマイコンメータ８の継続使用時間オーバー遮断機能を回避する第１回避運転、または、バックアップ熱源機６での一時的な燃焼を行うと共に、燃料ガスの流量を変動させて、ガスマイコンメータ８の継続使用時間オーバー遮断機能を回避する第２回避運転を行う。【選択図】図１
2016188581.tif 000002
【特許請求の範囲】
【請求項１】
ガスマイコンメータを介して供給経路から供給される燃料ガスを用いて発電を行う発電ユニットと、前記発電ユニットの運転を制御する制御器とを備え、
前記制御器は、前記ガスマイコンメータの継続使用時間オーバー遮断機能を回避する回避運転を行うか否かの遮断回避運転設定指令に基づいて、前記回避運転を行う場合は、前記発電ユニットで使用する燃料ガスの流量を変動させて、前記ガスマイコンメータの継続使用時間オーバー遮断機能を回避する第１回避運転を行うよう制御する、発電システム。
【請求項２】
前記発電ユニットで発電する際に発生する熱を湯として貯えて外部熱負荷に供給する貯湯ユニットをさらに備え、
前記貯湯ユニットには、外部熱負荷に供給する熱が不足した場合に、前記ガスマイコンメータと前記発電ユニットとの間の前記供給経路からの燃料ガスを用いて燃焼することにより湯を作るバックアップ熱源機を備え、
前記制御部は、前記回避運転として、前記第１回避運転を行うか、又は、前記ガスマイコンメータの継続使用時間オーバー遮断機能を回避する第２回避運転を行うかの遮断回避運転設定指令に基づいて、前記第２回避運転を行う場合は、前記バックアップ熱源機での一時的な燃焼を行うと共に、燃料ガスの流量を変動させて、前記ガスマイコンメータの継続使用時間オーバー遮断機能を回避するよう制御する、請求項１に記載の発電システム。
【請求項３】
前記回避運転を行うか否かを設定する遮断回避運転設定器をさらに備えた、請求項１または２に記載の発電システム。
【請求項４】
ガスマイコンメータを介して供給経路から供給される燃料ガスを用いて発電を行う発電ユニットを備えた発電システムの運転方法であって、
前記ガスマイコンメータの継続使用時間オーバー遮断機能を回避する回避運転を行うか否かの遮断回避運転設定を行う設定ステップと、
前記設定ステップで前記回避運転が設定された場合は、前記発電ユニットで使用する燃料ガスの流量を変動させて、前記ガスマイコンメータの継続使用時間オーバー遮断機能を回避するよう運転する第１回避運転ステップと、
を備えた、発電システムの運転方法。
【請求項５】
前記発電システムは、前記ガスマイコンメータと前記発電ユニットとの間の前記供給経路からの燃料ガスを用いて燃焼することにより湯を作るバックアップ熱源機を、前記発電ユニットで発電する際に発生する熱を湯として貯えて外部熱負荷に供給する貯湯ユニットに備え、
前記設定ステップでは、前記回避運転として、前記第１回避運転を行うか、又は、前記ガスマイコンメータの継続使用時間オーバー遮断機能を回避する第２回避運転を行うかを選択し、
前記選択ステップで前記回避運転として前記第２運転が選択された場合は、前記バックアップ熱源機での一時的な燃焼を行うと共に、燃料ガスの流量を変動させて、前記ガスマイコンメータの継続使用時間オーバー遮断機能を回避するよう運転する第２回避運転ステップをさらに備えた、請求項４に記載の発電システムの運転方法。
【発明の詳細な説明】
【技術分野】
【０００１】
本発明は、発電システムおよび発電システムの運転方法に関し、特にガスマイコンメータを介して供給経路から供給された都市ガスやＬＰガスを燃料として発電を行う発電システムおよび発電システムの運転方法に関するものである。
【背景技術】
【０００２】
近年、都市ガスやＬＰガスを燃料ガスとして発電を行って、家庭の電力負荷に供給すると共に、発電の際に発生する熱を湯として貯えて、給湯や暖房などの家庭の熱負荷に供給する、エンジンコージェネレーションシステムや燃料電池コージェネレーションシステムなどの、家庭用の発電システムに対して、幅広い需要が見込まれている。
【０００３】
一般的に発電システムは、燃料ガスを用いて発電を行う発電ユニットと、発電の際に発生する熱を湯として家庭の熱負荷に供給する貯湯ユニットとで構成される。また貯湯ユニットは、湯を一時的に貯える貯湯タンクと、貯湯タンクに貯えられている湯では家庭の熱負荷への供給が不足する場合に、燃料ガスを燃焼することにより湯を生成し熱負荷へ供給するバックアップ熱源機を備えている。
【０００４】
なお、バックアップ熱源機の基本的な機能・構成は、家庭の給湯や暖房に湯や熱を供給する熱源機と同じである。
【０００５】
一方、家庭で使用する都市ガスやＬＰガスは、その供給経路の上流に、ガスマイコンメータを一般的には配しており、ガスの使用量が所定の安全継続時間にわたって継続して、ほぼ一定であったときは、ガス漏れ等の異常発生としてガスの供給を遮断する安全機能を備えている。
【０００６】
従来の発電システムでは、長時間の発電に対して、ガスマイコンメータの上記安全機能による誤遮断を防止するために、バックアップ熱源機を用いてガス誤遮断防止運転を行うものがある。またその中で、ガス燃焼機器である熱源機でのガス誤遮断防止運転に関する技術開示がされている（例えば、特許文献１参照）。図４は、特許文献１に記載された従来の熱源機を示すものである。
【０００７】
図４に示すように従来の熱源機１０は、ガス流量が所定の安全継続時間にわたって継続して、ほぼ一定量であったときに異常発生と判断してガス経路を遮断する安全機能を備えたガスマイコンメータ２０の下流側に接続配置されている。
【０００８】
熱源機１０は、温水熱交換器１１と、制御器１２と、ガス流路１８に設けられた比例弁１９とを備えている。制御器１２は、温水熱交換器１１が、ほぼ一定の燃焼量を保って所定の強制変動時間の到来まで継続して燃焼したとき（発電システムとしては、ほぼ一定の燃料ガス使用量を保って所定の強制変動時間の到来まで継続して発電をしたとき）に、比例弁１９の開度を変えて強制的にガス消費量を変化させている。
【先行技術文献】
【特許文献】
【０００９】
【特許文献１】特開平１１−２４８１５３号公報
【発明の概要】
【発明が解決しようとする課題】
【００１０】
しかしながら従来のガスマイコンメータの誤遮断防止運転では、バックアップ熱源機でのガス消費量を強制的に変化させるため、以下の課題があった。具体的には、バックアップ熱源機での消費ガス量は一般的に発電ユニットに比べて１０倍程度多く、一時的な燃焼は、給湯・暖房等の外部熱負荷に供給する必要がない場合でも実施する必要があるため、発電システムとしての省エネ性が低下する課題があった。
【００１１】
そこで本発明は、上記従来の課題を解決するもので、ガスマイコンメータの継続使用時間オーバー遮断機能の回避に対して、省エネ性を向上した回避運転をすることが可能である発電システムを提供することを目的とする。
【課題を解決するための手段】
【００１２】
上述した従来の課題を解決するために、本発明の発電システムは、ガスマイコンメータを介して供給経路から供給される燃料ガスを用いて発電を行う発電ユニットと、前記発電ユニットの運転を制御する制御器とを備え、前記制御器が、前記ガスマイコンメータの継続使用時間オーバー遮断機能を回避する回避運転を行うか否かの遮断回避運転設定指令に基づいて、前記回避運転を行う場合は、前記発電ユニットで使用する燃料ガスの流量を変動させて、前記ガスマイコンメータの継続使用時間オーバー遮断機能を回避する第１回避運転を行うよう制御するのである。
【００１３】
これによって、ガス事業者が、ガスマイコンメータの継続使用時間オーバー遮断機能に対する回避運転を不要と判断したときには、遮断回避運転設定指令が「否」となるようにすることで、不要な燃焼を廃止し、回避運転が必要と判断したときには、遮断回避運転設定指令が「肯」となるようにすることで、燃料ガスのガス消費量を抑えた発電ユニットでの回避運転を実施することが可能となる。
【００１４】
また、発電に用いる燃料ガスを変動させることにより、発電ユニットでの発電量は変化するが、燃料ガスの流量に応じた発電は継続することため、発電に寄与しない不要なガス使用は発生しない運転をすることができる。
【００１５】
また、本発明の発電システムの運転方法は、ガスマイコンメータを介して供給経路から供給される燃料ガスを用いて発電を行う発電ユニットを備えた発電システムの運転方法であって、前記ガスマイコンメータの継続使用時間オーバー遮断機能を回避する回避運転を行うか否かの遮断回避運転設定を行う設定ステップと、前記設定ステップで前記回避運転が設定された場合は、前記発電ユニットで使用する燃料ガスの流量を変動させて、前記ガスマイコンメータの継続使用時間オーバー遮断機能を回避するよう運転する第１回避運転ステップとを備えている。
【００１６】
これによって、ガス事業者が、ガスマイコンメータの継続使用時間オーバー遮断機能に対する回避運転を不要と判断したときには、遮断回避運転設定指令が「否」となるように遮断回避運転設定を行い、ガスマイコンメータの継続使用時間オーバー遮断機能を回避するような発電ユニットでの運転を実施しない運転ができる。
【００１７】
また、ガス事業者が、回避運転が必要と判断したときには、遮断回避運転設定指令が「肯」となるように遮断回避運転設定を行い、ガスマイコンメータの継続使用時間オーバー遮断機能を回避するように発電ユニットで回避する運転ができる。
【発明の効果】
【００１８】
本発明の発電システムによれば、ガスマイコンメータの継続使用時間オーバー遮断機能に対する回避運転が必要と判断したときには、遮断回避運転設定指令が「肯」となるようにすることで、燃料ガスのガス消費量を抑えた発電ユニットでの回避運転を実施すること
が可能となり、発電システムとしての省エネ性を向上することができる。
【図面の簡単な説明】
【００１９】
【図１】本発明の実施の形態１における発電システムのブロック図
【図２】同実施の形態の発電システムにおける回避運転を示すフローチャート
【図３】同実施の形態の発電システムにおける別の回避運転を示すフローチャート
【図４】従来の熱源機の構成図
【発明を実施するための形態】
【００２０】
第１の本発明は、ガスマイコンメータを介して供給経路から供給される燃料ガスを用いて発電を行う発電ユニットと、前記発電ユニットの運転を制御する制御器とを備え、前記制御器が、前記ガスマイコンメータの継続使用時間オーバー遮断機能を回避する回避運転を行うか否かの遮断回避運転設定指令に基づいて、前記回避運転を行う場合は、前記発電ユニットで使用する燃料ガスの流量を変動させて、前記ガスマイコンメータの継続使用時間オーバー遮断機能を回避する第１回避運転を行うよう制御する、発電システムである。
【００２１】
上記構成により、ガス事業者が、ガスマイコンメータの継続使用時間オーバー遮断機能に対する回避運転を不要と判断したときには、遮断回避運転設定指令が「否」となるようにすることで、不要な燃焼を廃止し、回避運転が必要と判断したときには、遮断回避運転設定指令が「肯」となるようにすることで、燃料ガスのガス消費量を抑えた発電ユニットでの回避運転を実施することが可能となる。
【００２２】
また、発電に用いる燃料ガスを変動させることにより、発電ユニットでの発電量は変化するが、燃料ガスの流量に応じた発電は継続することため、発電に寄与しない不要なガス使用は発生しない運転をすることができる。そのため、発電システムとしての省エネ性を向上することができる。
【００２３】
第２の本発明は、特に、第１の本発明の構成に、前記発電ユニットで発電する際に発生する熱を湯として貯えて外部熱負荷に供給する貯湯ユニットをさらに備え、前記貯湯ユニットには、外部熱負荷に供給する熱が不足した場合に、前記ガスマイコンメータと前記発電ユニットとの間の前記供給経路からの燃料ガスを用いて燃焼することにより湯を作るバックアップ熱源機を備え、前記制御部が、前記回避運転として、前記第１回避運転を行うか、又は、前記ガスマイコンメータの継続使用時間オーバー遮断機能を回避する第２回避運転を行うかの遮断回避運転設定指令に基づいて、前記第２回避運転を行う場合は、前記バックアップ熱源機での一時的な燃焼を行うと共に、燃料ガスの流量を変動させて、前記ガスマイコンメータの継続使用時間オーバー遮断機能を回避するよう制御するのである。
【００２４】
上記構成により、ガス事業者が、ガスマイコンメータの継続使用時間オーバー遮断機能に対する回避運転が必要と判断したときには、遮断回避運転設定指令で第１回避運転か第２回避運転かのいずれかが「肯」となるようにすることで、燃料ガスのガス消費量を抑えた発電ユニットでの回避運転または、バックアップ熱源機での一時的な燃焼による回避運転を実施できる。
【００２５】
そのため、上記第１の本発明の作用効果に加えて、発電ユニットでの燃料ガス流量変動では回避できないようなガスマイコンメータの種類や方式、ガス事業者の運用に対して、第２回避運転を指令することで、回避運転を実現することができる。
【００２６】
第３の本発明は、特に、第１または第２の本発明の構成に、前記回避運転を行うか否かを設定する遮断回避運転設定器をさらに備えたものである。
【００２７】
上記構成により、遮断回避運転設定器で、発電システムの遮断回避運転設定指令を変更することができるため、発電ユニットの移設によるガス事業者の変更、ガスマイコンメータの交換による種類・方式の変更、ガス事業者のガスマイコンメータの継続使用時間オーバー遮断機能運用の変更、が発生した場合においても、各々の変更に合せた回避運転を実現することができる。
【００２８】
第４の本発明は、ガスマイコンメータを介して供給経路から供給される燃料ガスを用いて発電を行う発電ユニットを備えた発電システムの運転方法であって、前記ガスマイコンメータの継続使用時間オーバー遮断機能を回避する回避運転を行うか否かの遮断回避運転設定を行う設定ステップと、前記設定ステップで前記回避運転が設定された場合は、前記発電ユニットで使用する燃料ガスの流量を変動させて、前記ガスマイコンメータの継続使用時間オーバー遮断機能を回避するよう運転する第１回避運転ステップとを備えた、発電システムの運転方法である。
【００２９】
上記運転方法により、ガス事業者が、ガスマイコンメータの継続使用時間オーバー遮断機能に対する回避運転を不要と判断したときには、遮断回避運転設定指令が「否」となるように遮断回避運転設定を行い、ガスマイコンメータの継続使用時間オーバー遮断機能を回避するような発電ユニットでの運転を実施しない運転ができる。
【００３０】
また、ガス事業者が、回避運転が必要と判断したときには、遮断回避運転設定指令が「肯」となるように遮断回避運転設定を行い、ガスマイコンメータの継続使用時間オーバー遮断機能を回避するように発電ユニットで回避する運転方法が実現できる。
【００３１】
そのため、燃料ガスのガス消費量を抑えた発電ユニットでの回避運転方法を実施することが可能となる。また、発電に用いる燃料ガスを変動させることにより、発電ユニットでの発電量は変化するが、燃料ガスの流量に応じた発電は継続することため、発電に寄与しない不要なガス使用は発生しない運転方法をすることができる。そのため、発電システムとしての省エネ性を向上した運転方法を実施することができる。
【００３２】
第５の本発明は、特に、第４の本発明における、前記発電システムが、前記ガスマイコンメータと前記発電ユニットとの間の前記供給経路からの燃料ガスを用いて燃焼することにより湯を作るバックアップ熱源機を、前記発電ユニットで発電する際に発生する熱を湯として貯えて外部熱負荷に供給する貯湯ユニットに備え、前記設定ステップでは、前記回避運転として、前記第１回避運転を行うか、又は、前記ガスマイコンメータの継続使用時間オーバー遮断機能を回避する第２回避運転を行うかを選択し、前記選択ステップで前記回避運転として前記第２運転が選択された場合は、前記バックアップ熱源機での一時的な燃焼を行うと共に、燃料ガスの流量を変動させて、前記ガスマイコンメータの継続使用時間オーバー遮断機能を回避するよう運転する第２回避運転ステップをさらに備えたのである。
【００３３】
上記運転方法により、ガス事業者が、ガスマイコンメータの継続使用時間オーバー遮断機能に対する回避運転が必要と判断したときには、遮断回避運転設定指令で第１回避運転か第２回避運転かのいずれかが「肯」となるように設定をすることで、燃料ガスのガス消費量を抑えた発電ユニットでの回避運転方法、または、バックアップ熱源機での一時的な燃焼による回避運転方法を実施できる。
【００３４】
そのため、上記の第４の本発明での効果に加えて、発電ユニットでの燃料ガス流量変動では回避できないようなガスマイコンメータの種類や方式、ガス事業者の運用に対して、第２回避運転を指令することで、回避運転方法を実現することができる。
【００３５】
以下、本発明の実施の形態について、図面を参照しながら説明する。なお、この実施の形態によって本発明が限定されるものではない。
【００３６】
（実施の形態１）
図１は、本発明の実施の形態１における発電システムの構成を示すブロック図である。
【００３７】
図１に示すように、本実施の形態における発電システムは、都市ガスやＬＰガスなどの燃料ガスを用いて発電を行って外部電力負荷に電力を供給する発電ユニット１と、発電ユニット１での発電の際に発生する熱を湯として貯えると共に、外部熱負荷に給湯・暖房などとして供給する貯湯ユニット２とにより構成される。
【００３８】
発電システムには、ガスマイコンメータ８の遮断機能を回避する運転を行うか否かを設定する遮断回避運転設定器３と、発電ユニット１、および貯湯ユニット２の運転を制御する制御器４とを備えている。また、貯湯ユニット２には、発電の際に発生する熱を湯として貯える貯湯タンク５と、外部熱負荷に供給する熱が不足した場合に燃料ガスを用いて燃焼することにより湯を作るバックアップ熱源機６を備えている。
【００３９】
また、発電ユニット１、および貯湯ユニット２のバックアップ熱源機６に供給する燃料ガスは、外部の都市ガス配管やＬＰガスボンベ等の供給源から供給配管７を通じて供給されるが、供給配管７には、ガスマイコンメータ８が配置されており、ガスマイコンメータ８より下流の供給配管７を分岐して、各々発電ユニット１、および貯湯ユニット２のバックアップ熱源機６に燃料ガスが供給されるように構成されている。
【００４０】
なお、制御器４は、発電ユニット１の内部に備えている構成としたが、この限りではなく、貯湯ユニット２の内部に備えても構わず、また、発電ユニット１と貯湯ユニット２の外部に独立して備えても構わない。
【００４１】
同様に、遮断回避運転設定器３も、発電ユニット１の内部に備えている構成としたが、この限りではなく、貯湯ユニット２の内部に備えても構わず、また、発電ユニット１と貯湯ユニット２の外部に、例えば、リモコン（図示せず）などに備えても構わない。
【００４２】
なお、発電ユニット１としては、燃料ガスを用いてエンジンを作動させることにより発電を行うエンジン発電ユニットや、燃料ガスを改質して電気化学的な反応により発電を行う燃料電池発電ユニットが考えられる。
【００４３】
図１に示す発電システムでは、外部供給源から供給された都市ガスやＬＰガスなどの燃料ガスは、ガスマイコンメータ８を介して供給配管７を通じて発電ユニット１に供給される。発電ユニット１に供給された燃料ガスは、発電ユニット１の中で電気エネルギーに変換することにより発電し、外部電力負荷に供給する。
【００４４】
また、発電ユニット１での発電の際に発生する熱は、貯湯ユニット２の貯湯タンク５から発電ユニット１に水を通流し、通流した水を熱交換器などで加熱することにより、高温の湯として貯湯ユニット２に戻し、貯湯タンク５に貯える。貯湯タンク５に貯えられた高温の湯は、外部熱負荷に給湯として供給されたり、暖房の循環水として熱供給する。
【００４５】
そして、外部熱負荷に供給する熱量が一時的に不足した場合は、供給配管７からバックアップ熱源機６に燃料ガスを供給し、バックアップ熱源機６で燃料ガスを燃焼することにより熱を生成し、外部熱負荷に給湯として供給したり、暖房の循環水として熱供給する。なお、供給配管７は、第１の本発明の供給経路の具体的実施の一例である。
【００４６】
次に、本実施の形態における発電システムに関して、第１の本発明に関する具体的動作を説明する。また、発電システムの具体的動作について説明しながら、第４の本発明にかかる発電システムの運転方法の一実施の形態についても、図２を用いて説明する。
【００４７】
発電システムは、外部負荷への電力供給や熱供給のため長時間運転を実施することになるが、ガスマイコンメータ８は、通流する燃料ガスの流量が所定の安全継続時間にわたって継続して、ほぼ一定量であったときに異常発生と判断して、ガスの供給経路を遮断する安全機能を備えている。そのため発電ユニット１は、発電中において、ガスマイコンメータ８の遮断機能を回避するために、以下の動作を実施する。
【００４８】
図２において、発電ユニット１が発電中のとき、制御器４は、ガスマイコンメータ遮断の回避運転を行うか否かの判断を、遮断回避設定指令に基づいて実施する（ステップＳ００１）。
【００４９】
ステップＳ００１で、回避運転を行うと判断したときは、発電ユニット１で使用する燃料ガス量を、意図的に変動させることにより、回避運転を行う（ステップＳ００２）。一方、ステップＳ００１で回避運転を行わないと判断したときは、発電ユニット１では発電に必要燃料ガス量を使用して通常の運転を行う（ステップＳ００３）。
【００５０】
本実施の形態における発電システムは、上記構成により、ガス事業者が、ガスマイコンメータ８の継続使用時間オーバー遮断機能に対する回避運転を不要と判断したときには、遮断回避運転設定指令が「否」となるようにすることで、不要な燃焼を廃止し、回避運転が必要と判断したときには、遮断回避運転設定指令が「肯」となるようにすることで、燃料ガスのガス消費量を抑えた発電ユニット１での回避運転を実施することが可能となる。
【００５１】
また、発電に用いる燃料ガスを変動させることにより、発電ユニット１での発電量は変化するが、燃料ガスの流量に応じた発電は継続することため、発電に寄与しない不要なガス使用は発生しない運転をすることができる。そのため、発電システムとしての省エネ性を向上する発電システムを実現することができる。
【００５２】
また、本実施の形態における発電システムの構成を用いて運転をすることにより、上述したとおり発電システムとしての省エネ性を向上する発電システムの運転方法を実現することができる。
【００５３】
次に、本実施の形態における発電システムに関して、第２の本発明に関する具体的動作を説明する。また、発電システムの具体的動作について説明しながら、第５の本発明にかかる発電システムの運転方法の一実施の形態について、図３を用いて説明する。
【００５４】
発電システムは、外部負荷への電力供給や熱供給のため長時間運転を実施することになるが、ガスマイコンメータ８は、通流する燃料ガスの流量が所定の安全継続時間にわたって継続して、ほぼ一定量であったときに異常発生と判断して、ガスの供給経路を遮断する安全機能を備えている。そのため発電ユニット１は、発電中においてガスマイコンメータ８の遮断機能を回避するために、以下の動作を実施する。
【００５５】
発電ユニット１が発電中のとき、制御器４は、ガスマイコンメータ遮断の第１回避運転を行うか否かの判断を、遮断回避設定指令に基づいて実施する（ステップＳ０１１）。ステップＳ０１１で第１回避運転を行うと判断したときは、発電ユニット１で使用する燃料ガス量を意図的に変動させることにより回避運転を行う（ステップＳ０１２）。
【００５６】
一方、ステップＳ０１１で、第１回避運転を行わないと判断したときは、発電ユニット
１では発電に必要燃料ガス量を使用して通常の運転を行うと共に、ステップＳ０１３に進む。ステップＳ０１３では、ガスマイコンメータ遮断の第２回避運転を行うか否かの判断を、遮断回避設定指令に基づいて実施する（ステップＳ０１３）。
【００５７】
ステップＳ０１３で、第２回避運転を行うと判断したときは、バックアップ熱源機６で使用する燃料ガス量を意図的に増加させることにより、回避運転を行う（ステップＳ０１４）。一方、ステップＳ０１３で第２回避運転を行わないと判断したときは、バックアップ熱源機６では不足している熱負荷に応じた燃料ガス量を使用して、通常の燃焼運転を行う。
【００５８】
本実施の形態における発電システムの構成をとることにより、ガス事業者が、ガスマイコンメータ８の継続使用時間オーバー遮断機能に対する回避運転が必要と判断したときには、遮断回避運転設定指令で第１回避運転か第２回避運転かのいずれかが「肯」となるようにすることで、燃料ガスのガス消費量を抑えた発電ユニット１での回避運転または、バックアップ熱源機６での一時的な燃焼による回避運転を実施できる。
【００５９】
そのため、上記第１の本発明の作用効果に加えて、発電ユニット１での燃料ガス流量変動では回避できないようなガスマイコンメータ８の種類や方式、ガス事業者の運用に対して、第２回避運転を指令することで、回避運転が可能な発電システムを実現することができる。
【００６０】
また、本実施の形態における発電システムの構成を用いて運転をすることにより、上述した通り、発電システムとしての省エネ性を向上する発電システムの運転方法を実現すると共に、発電ユニット１での燃料ガス流量変動では回避できないようなガスマイコンメータ８の種類や方式、ガス事業者の運用に対して、第２回避運転を指令することで回避運転が可能な発電システムの運転方法を実現することができる。
【００６１】
なお、本実施の形態のように、ガスマイコンメータ８の遮断機能を回避する運転を行うか否かを設定する遮断回避運転設定器３を備えた構成にすることにより、発電システムの遮断回避運転設定指令を、工場からの出荷後においても、変更することができる。
【００６２】
そのため、発電システムの移設によるガス事業者の変更や、ガスマイコンメータ８の交換による種類・方式の変更、ガス事業者のガスマイコンメータ８の継続使用時間オーバー遮断機能運用の変更などが発生した場合においても、各々の変更に合致した回避運転に関して、遮断回避運転設定器３を用いて、第１回避運転、第２回避運転、回避運転を実施しない、の３運転を選択して指令することができるため、有用である。
【産業上の利用可能性】
【００６３】
以上のように、本発明は、ガスマイコンメータの継続使用時間オーバー遮断機能に対する回避運転が必要と判断したときには、遮断回避運転設定指令が「肯」となるようにすることで、燃料ガスのガス消費量を抑えた発電ユニットでの回避運転を実施することができるため、ガスマイコンメータを介して供給経路から供給された都市ガスやＬＰガスを燃料として長時間の発電を行う、エンジンコージェネレーションシステムや燃料電池コージェネレーションシステム等の発電システムに有用である。
【符号の説明】
【００６４】
１  発電ユニット
２  貯湯ユニット
３  遮断回避運転設定器
４  制御器
５  貯湯タンク
６  バックアップ熱源機
７  供給配管
８  ガスマイコンメータ
【図１】
2016188581.tif 000003
【図２】
2016188581.tif 000004
【図３】
2016188581.tif 000005
【図４】
2016188581.tif 000006